(57)【要約】【課題】表示装置においてプライバシー保護のための物理的な構成を設けなくても状況に応じてプライバシー保護の程度を変更する。【解決手段】制御部１１は、実行したアプリにより生成されるアプリ画像を表示部１４に表示させるとともに、記憶部１２に記憶されている保護画像１２２をアプリ画像が表示された層よりも下層に配置する。操作部１３が操作子１３２の操作を受け付けると、制御部１１は、保護画像１２２が描かれた層よりも上にある全ての層の透過係数を下げる。ユーザは混合の割合が増加した保護画像１２２によりアプリ画像が見え難くなった画面を見ることとなる。一方、操作部１３が操作子１３２の操作を受け付けていないときに、検知部１３１による位置の指定を伴う操作を受け付けると、制御部１１は、この操作に応じてアプリに用いられるパラメータを生成するため、アプリ画像は、検知された位置の指定を伴う操作に応じた画像となる。【選択図】図２
2011242452.tif 000002
【特許請求の範囲】
【請求項１】
複数の画像を重ねて得られる画像を表示手段に表示させる表示制御手段と、
アプリケーションプログラムに記述された手順に従って、ユーザに提示される第１画像を生成するとともに、前記表示手段における位置の指定を伴う操作が操作手段により受け付けられると当該操作に応じた処理を行う処理手段と
を具備し、
前記表示制御手段は、前記第１画像を前記表示手段に表示させるとともに、当該第１画像とは異なる画像であって前記第１画像を保護するための第２画像を前記表示手段において当該第１画像よりも下層に配置し、予め定められた条件が満たされたときに、当該第１画像を透過させることにより、前記下層に配置された当該第２画像を前記表示手段に表示させる
ことを特徴とする表示装置。
【請求項２】
前記条件が満たされたときに自装置が在る場所、または当該条件が満たされたときの時刻の少なくともいずれか一方を示す情報を特定する特定手段と、
前記特定手段により特定された前記情報に応じた画像を取得する取得手段とを備え、
前記表示制御手段は、前記取得手段により取得された前記画像を前記第２画像として前記表示手段に表示させる
ことを特徴とする請求項１に記載の表示装置。
【請求項３】
前記第１画像に関する情報を解析する解析手段と、
前記解析手段の解析結果に応じた画像を取得する取得手段と
を具備し、
前記表示制御手段は、前記取得手段により取得された前記画像を前記第２画像として前記表示手段に表示させる
ことを特徴とする請求項１に記載の表示装置。
【請求項４】
決められた領域を前記第１画像ごとに対応づけて記憶する領域記憶手段を備え、
前記表示制御手段は、前記表示手段において前記第１画像よりも下層であって、且つ、前記領域記憶手段により当該第１画像に対応づけて記憶された前記領域に、前記第２画像を配置する
ことを特徴とする請求項１から３のいずれかに記載の表示装置。
【請求項５】
アプリケーションプログラムに記述された手順に従って、ユーザに提示される第１画像を生成するとともに、表示手段における位置の指定を伴う操作が操作手段により受け付けられると当該操作に応じた処理を行う処理手段を備えるコンピュータを、
複数の画像を重ねて得られる画像を前記表示手段に表示させる表示制御手段であって、前記第１画像を前記表示手段に表示させるとともに、当該第１画像とは異なる画像であって前記第１画像を保護するための第２画像を前記表示手段において当該第１画像よりも下層に配置し、予め定められた条件が満たされたときに、当該第１画像を透過させることにより、前記下層に配置された当該第２画像を前記表示手段に表示させる表示制御手段
として機能させるためのプログラム。
【発明の詳細な説明】
【技術分野】
【０００１】
本発明は、表示装置におけるプライバシーの保護に関する。
【背景技術】
【０００２】
表示装置に個人情報を表示させる場合にはプライバシーの保護が問題となる。例えば、携帯電話機やＰＤＡ（Personal Digital Assistant）等においては、プライバシーを保護するために、表示画面上に貼り付ける保護シール等が多く流通している。このような保護シールは、着色された半透明の樹脂等で形成されているため、表示画面を見え難くすることができる。
【０００３】
しかし、保護シールは接着剤により表示画面に貼り付けるので、一般に何度も張ったり剥がしたりすることができず、一度貼り付けるとずっと貼り付けられたままとなる。そのため、覗き見される可能性がない状況下においても、表示画面は保護シールによって見え難くなってしまう。例えば、在宅中のユーザが携帯情報端末で動画等を視聴するような状況では、一般にその動画等が不特定の他者に覗き見される虞はない。それにも関わらず、携帯情報端末に保護シールが貼り付けられていると表示画面が見え難くなるので、ユーザは、その動画等の本来の色合いや画質を楽しめないこととなる。つまり、保護シールの貼付では、ユーザは状況に応じてプライバシー保護の程度を変更することができない。
【０００４】
このような問題を解決する技術として、例えば、特許文献１には、プライバシー保護のための物理的な構成として、３種類の偏光板とスイッチングパネルにより配向を制御される液晶層とを備えることにより、斜め方向（横方向）からの視線に対し、表示画像を視認されにくくすることのできる表示画像を実現する表示装置が開示されている。
【先行技術文献】
【特許文献】
【０００５】
【特許文献１】特開２００９−２８８８５６号公報
【発明の概要】
【発明が解決しようとする課題】
【０００６】
しかしながら、特許文献１に記載の技術では、偏光板のように特殊な構成を備えなくてはならず製造コストが嵩む。
本発明の目的は、プライバシー保護のための物理的な構成を設けなくても状況に応じてプライバシー保護の程度を変更する表示装置およびそのためのプログラムを提供することにある。
【課題を解決するための手段】
【０００７】
上述した課題を解決するため、本発明に係る表示装置は、複数の画像を重ねて得られる画像を表示手段に表示させる表示制御手段と、アプリケーションプログラムに記述された手順に従って、ユーザに提示される第１画像を生成するとともに、前記表示手段における位置の指定を伴う操作が操作手段により受け付けられると当該操作に応じた処理を行う処理手段とを具備し、前記表示制御手段は、前記第１画像を前記表示手段に表示させるとともに、当該第１画像とは異なる画像であって前記第１画像を保護するための第２画像を前記表示手段において当該第１画像よりも下層に配置し、予め定められた条件が満たされたときに、当該第１画像を透過させることにより、前記下層に配置された当該第２画像を前記表示手段に表示させることを特徴とする。
【０００８】
好ましくは、前記条件が満たされたときに自装置が在る場所、または当該条件が満たされたときの時刻の少なくともいずれか一方を示す情報を特定する特定手段と、前記特定手段により特定された前記情報に応じた画像を取得する取得手段とを備え、前記表示制御手段は、前記取得手段により取得された前記画像を前記第２画像として前記表示手段に表示させるとよい。
【０００９】
また、好ましくは、前記第１画像に関する情報を解析する解析手段と、前記解析手段の解析結果に応じた画像を取得する取得手段とを具備し、前記表示制御手段は、前記取得手段により取得された前記画像を前記第２画像として前記表示手段に表示させるとよい。
【００１０】
また、好ましくは、決められた領域を前記第１画像ごとに対応づけて記憶する領域記憶手段を備え、前記表示制御手段は、前記表示手段において前記第１画像よりも下層であって、且つ、前記領域記憶手段により当該第１画像に対応づけて記憶された前記領域に、前記第２画像を配置するとよい。
【００１１】
また、本発明に係るプログラムは、アプリケーションプログラムに記述された手順に従って、ユーザに提示される第１画像を生成するとともに、表示手段における位置の指定を伴う操作が操作手段により受け付けられると当該操作に応じた処理を行う処理手段を備えるコンピュータを、複数の画像を重ねて得られる画像を前記表示手段に表示させる表示制御手段であって、前記第１画像を前記表示手段に表示させるとともに、当該第１画像とは異なる画像であって前記第１画像を保護するための第２画像を前記表示手段において当該第１画像よりも下層に配置し、予め定められた条件が満たされたときに、当該第１画像を透過させることにより、前記下層に配置された当該第２画像を前記表示手段に表示させる表示制御手段として機能させるためのプログラムである。
【発明の効果】
【００１２】
この発明により、物理的な構成を設けなくても状況に応じてプライバシー保護の程度を変更することが可能となる。
【図面の簡単な説明】
【００１３】
【図１】本実施形態に係る表示装置の外観を示す図である。
【図２】本実施形態に係る表示装置の構成を示す図である。
【図３】制御部により実現される機能的構成を示す図である。
【図４】表示装置の動作の一例を示すフロー図である。
【図５】変形例における表示装置の構成を示す図である。
【図６】変形例における表示装置、および制御部の機能的構成を示す図である。
【図７】変形例における表示装置、および制御部の機能的構成を示す図である。
【図８】変形例における保護領域を説明するための図である。
【図９】変形例に係る表示装置の表示内容を説明するための図である。
【図１０】変形例における表示装置の構成を示す図である。
【図１１】変形例における表示装置、および制御部の機能的構成を示す図である。
【発明を実施するための形態】
【００１４】
以下、本発明を実施するための形態について説明する。
１．構成
１−１．表示装置の構成
以下に図１および図２を参照して、本実施形態に係る表示装置１の構成を説明する。
図１は、本実施形態に係る表示装置１の外観を示す図である。図１（ａ）に示すように、表示装置１は、平板状の筐体を有しており、この筐体の一方の面には、矩形の表示部１４と、ボタン状の操作子１３２とが設けられている。
【００１５】
図２は、本実施形態に係る表示装置１の構成を示す図である。表示装置１は、制御部１１、記憶部１２、操作部１３、表示部１４、および通信部１５を有し、これらはバスを介して互いに接続されている。この表示装置１は通信回線を介して他の端末と通信を行う通信端末である。表示装置１は、他の端末との間で例えば電子メールの遣り取りをすることができる。
【００１６】
制御部１１は、ＣＰＵ（Central Processing Unit）、ＲＯＭ（Read Only Memory）、およびＲＡＭ（Random Access Memory）を有する。ＣＰＵは、記憶部１２やＲＯＭに記憶されている制御プログラムを読み出して、ＲＡＭにロードして実行することにより、表示装置１の各部について、バスを介して制御し、通信機能のほか後述する機能等を実現する。また、ＲＡＭは、ＣＰＵが各データの加工等を行う際のワークエリアとして機能する。なお、ＲＡＭは、表示部１４に画像を表示するために必要なデータを記憶するＶＲＡＭ（Video RAM）を含む。
【００１７】
記憶部１２は、例えば、不揮発性メモリ等の大容量記憶手段であって、上述した制御プログラムを含む複数のアプリケーションプログラム（以下、アプリという）であるアプリ群１２１、保護画像１２２およびフィルターアプリ１２９を記憶している。アプリ群１２１に含まれるアプリは、制御部１１に読み込まれて実行される。アプリに記述された手順に従って制御部１１により生成される画像を、アプリ画像という。すなわち、アプリ画像は、アプリケーションプログラムに記述された手順に従って、ユーザに提示される第１画像の一例である。保護画像１２２は、このアプリ画像を状況に応じて保護するための画像であり、アプリ画像に描かれた内容とは異なる模様、文字列等が記述された画像である。ここで、「画像を保護する」とは、覗き見を防ぐために、その画像を見え難くすることをいう。すなわち、保護画像１２２は、アプリ画像（第１画像）とは異なる画像であってアプリ画像（第１画像）を保護するための第２画像の一例である。フィルターアプリ１２９は、アプリの一種であるが便宜上、アプリ群１２１に含まれるアプリと区別する。フィルターアプリ１２９は、制御部１１に読み込まれて実行されるアプリであり、制御部１１が保護画像１２２を読み込んでアプリ画像の下層に配置するための手順等が記述されている。
【００１８】
なお、アプリ画像および保護画像１２２は、時間変化をしない静止画像であってもよいが、時間変化をする動画であってもよく、ＨＴＭＬ（Hypertext Markup Language）文書等のように点滅したり移動したりする部分的な画像を含むものであってもよい。また、この記憶部１２は、外付けの不揮発性メモリ等の記録媒体であってもよい。この場合、図示しない接続インターフェイス等を介して記憶部１２が表示装置１に接続されている。
【００１９】
操作部１３は、指示された位置を検知する検知部１３１と、上述したボタン状の操作子１３２を有し、ユーザの操作に応じた操作信号を制御部１１へ出力する。検知部１３１は、表示部１４に重ねて設けられた静電容量方式のタッチパネルであり、表示部１４における位置の指定を伴う操作を受け付ける。すなわち、ユーザが表示部１４により表示される画像内の位置を指先等で指示すると、検知部１３１はこの指先による静電容量の変化を検知し、指示された位置を特定する。そして、検知部１３１は、特定した位置を示すデータを制御部１１に送り、これを受け取った制御部１１は、指示された位置に応じた処理を行う。
【００２０】
通信部１５は、制御部１１の制御に応じて、図示しない通信回線を介して他の表示装置１と通信を行う。
【００２１】
表示部１４は、液晶ディスプレイ等の表示デバイスであり、制御部１１の制御により画像を表示する。表示部１４に表示される画像は、操作に応じた表示やメニュー表示等の各種表示である。表示部１４は、複数の画像を層状に重ねて表示する。具体的には、図１（ｂ）に示すように、表示部１４は、複数の層Ｌ１、Ｌ２、Ｌ３…（以下、特に区別の必要がない場合は、これらを総称して「層Ｌ」と記す）をこの順に重ねて矢線Ｄ方向から見たときの画像（以下、重畳画像という）を表示する。なお、矢線Ｄ方向を各層Ｌにおける下向きの方向と定める。したがって、矢線Ｄ方向における最も手前にある層は最上層であり、最も奥にある層は最下層である。
【００２２】
ここで、制御部１１が重畳画像を表示部１４に表示させる処理の詳細について説明する。この処理は、フィルターアプリ１２９に記述された手順に従って制御部１１により実行される。各層Ｌの画像は、それぞれＶＲＡＭ上の個別の領域に記憶される。制御部１１は、最下層を除く各層Ｌの透過係数をそれぞれ決定して、これらの透過係数に応じた割合で各層Ｌの画像を混合し、新たな画像を生成する。ここで、層Ｌの透過係数とは、一般にアルファ値と呼ばれている０以上１以下の数値であり、この層Ｌよりも下層の画像がこの層Ｌを透過する割合を示す。具体的には、透過係数が１のときには、層Ｌは完全に不透明であり、層Ｌよりも下層の画像は、層Ｌよりも上層に透過されることはない。透過係数が０のときには、層Ｌは完全に透明であり、層Ｌよりも下層の画像は、全てそのまま層Ｌよりも上層に透過される。
【００２３】
例えば、図１（ｂ）に示すように、層Ｌ１、Ｌ２、Ｌ３の三層を矢線Ｄ方向から見た重畳画像を生成する際に、制御部１１は、次の式（１）、（２）に沿った演算を行う。
ここで、各画像は、表示部１４の表示画面における画素ごとに階調値が混合されるので、以下では、表示画面上の或る画素の階調値（画素値）について説明する。
【００２４】
Ｍ２＝α２×Ｖ２＋（１−α２）×Ｖ３    ・・・（１）
Ｍ１＝α１×Ｖ１＋（１−α１）×Ｍ２
＝α１×Ｖ１＋（１−α１）×（α２×Ｖ２＋（１−α２）×Ｖ３）・・・（２）
【００２５】
Ｖ１、Ｖ２、およびＶ３は、それぞれ層Ｌ１、Ｌ２、Ｌ３に描かれる画素値である。
α１、およびα２は、それぞれ層Ｌ１、Ｌ２の透過係数である。
Ｍ２は層Ｌ２および層Ｌ３を重ねて矢線Ｄ方向から見たときの画素値である。
Ｍ１は重畳画像の画素値である。
このようにして、各層Ｌの画像における各画素値は透過係数に応じて混合されて、重畳画像において対応する各画素値となる。
【００２６】
例えば、α１およびα２がいずれも０であると、Ｍ１はＶ３になる。α１が０でα２が１であると、Ｍ１はＶ２になる。α１が０．６でα２が０．７５であると、Ｍ１はＶ１：Ｖ２：Ｖ３を６：３：１の比率で混合した値になる。
【００２７】
１−２．制御部の機能的構成
図３は、制御部により実現される機能的構成を示す図である。
制御部１１は、表示制御部１１１および処理部１１２として機能する。処理部１１２は、制御部１１が記憶部１２のアプリ群１２１から指定されたアプリを読み出して実行することにより実現する機能である。処理部１１２は、アプリに記述された手順に従ってアプリ画像を生成し、表示制御部１１１に引き渡す。また、処理部１１２は、操作部１３の検知部１３１が表示部１４における位置の指定を伴う操作を受け付けると、アプリに記述された手順に従ってその操作に応じた処理を行う。具体的には、処理部１１２は、この受け付けた操作に応じてこのアプリを実行する際に用いるパラメータを生成する。そして、生成されたパラメータを用いてアプリを実行することにより処理部１１２は、上記した「位置の指定を伴う操作」に応じたアプリ画像を新たに生成して表示制御部１１１に引き渡す。
【００２８】
表示制御部１１１は、制御部１１が記憶部１２のフィルターアプリ１２９を読み出して実行することにより実現する機能である。表示制御部１１１は、記憶部１２に記憶された保護画像１２２を読み出す。そして、表示制御部１１１は、処理部１１２から引き渡されたアプリ画像を表示部１４に表示させるとともに、読み出した保護画像１２２をアプリ画像よりも下層に配置する。平常状態においては、アプリ画像が表示部１４に表示され、保護画像１２２は表示部１４に表示されないか、表示されたとしてもユーザに目立たない程度である。したがってこのとき、アプリ画像が描かれる層Ｌの透過係数α（以下、常態透過係数という）は例えば１である。
【００２９】
表示制御部１１１は、操作部１３の操作子１３２が押されると、予め定められた条件が満たされたと判断し、上記のアプリ画像を透過させる。具体的には、制御部１１が、アプリ画像が描かれる層Ｌの透過係数αを、操作子１３２が押される前よりも低い値（以下、特定透過係数という）に設定し、層Ｌよりも下層に配置された保護画像１２２とアプリ画像とに基づいて重畳画像を生成する。生成された重畳画像は表示部１４によって表示される。上記の特定透過係数は、常態透過係数が１である場合に、例えば０．３である。
【００３０】
２．動作
次に、図４を参照して表示装置１の動作を説明する。
図４は、表示装置１の動作の一例を示すフロー図である。制御部１１は、指定されたアプリを実行し、実行したアプリによりアプリ画像を生成する。そして、制御部１１は、フィルターアプリ１２９を実行してこのアプリ画像を表示部１４に表示させる（ステップＳ１０１）とともに、記憶部１２に記憶されている保護画像１２２を読み出してアプリ画像が表示された層Ｌよりも下層に配置する（ステップＳ１０２）。なお、制御部１１が実行するアプリには、このアプリが実行される際に必要なパラメータの初期値が予め記述されている。
【００３１】
次に、制御部１１は、フィルターアプリ１２９を実行し、操作部１３が、操作子１３２を用いた操作を受け付けたか否かを判断する（ステップＳ１０３）。操作子１３２を用いた操作を受け付けたと判断すると（ステップＳ１０３；ＹＥＳ）、制御部１１は、保護画像１２２が描かれた層よりも上にある全ての層の透過係数を下げる（ステップＳ１０４）。これにより、アプリ画像は透過されるため、重畳画像におけるアプリ画像の割合は低下し、保護画像１２２の割合が上昇するので、ユーザは混合の割合が増加した保護画像１２２によりアプリ画像が見え難くなった画面を見ることとなる。
【００３２】
一方、操作子１３２を用いた操作を受け付けていないと判断すると（ステップＳ１０３；ＮＯ）、制御部１１は、操作部１３が、検知部１３１により位置の指定を伴う操作を受け付けたか否かを判断する（ステップＳ１０５）。検知部１３１により位置の指定を伴う操作を受け付けていないと判断すると（ステップＳ１０５；ＮＯ）、制御部１１は、処理をステップＳ１０３に戻す。検知部１３１により位置の指定を伴う操作を受け付けたと判断すると（ステップＳ１０５；ＹＥＳ）、制御部１１は、この操作に応じてアプリの実行に用いられるパラメータを生成し（ステップＳ１０６）、その後、処理をステップＳ１０１に戻す。このため、生成されたパラメータがアプリの実行に用いられることとなる。したがって、生成されるアプリ画像は、検知部１３１により検知された位置の指定を伴う操作に応じた画像となる。
【００３３】
以上、説明したように、表示装置１の制御部１１は、アプリを実行することにより表示部１４に表示させるアプリ画像よりも下層に保護画像１２２を配置するので、アプリ画像を配置する層Ｌの透過係数を１または１に近い数値（例えば、０．５以上の数値）に設定しておくことで、操作子１３２を用いた操作を受け付けるまでは、アプリ画像は保護画像１２２によって保護されず、アプリ画像を配置する層Ｌの透過係数を０または０に近い数値（例えば、０．５未満の数値）に変更することで、保護画像１２２によりアプリ画像を保護することができる。
【００３４】
そして、例えば、制御部１１が実行するアプリＡのアプリ画像を状況に応じて隠したい場合に、別途、アプリＢを実行してそのアプリ画像を、アプリＡのアプリ画像の上に重ねるといった表示装置を検討すると、この表示装置では、検知部１３１が位置の指定を伴う操作を検知したときに、その操作内容は、アプリＡよりも先にアプリＢに引き渡されることとなる。したがって、この場合には、アプリＢがこの操作をアプリＡにそのまま伝達する必要がある。
【００３５】
一方、本発明に係る表示装置１は、アプリに記述された手順に従ってユーザに提示されるアプリ画像を、上記アプリとは別のアプリによって提示されるアプリ画像を上記アプリ画像の上層に配置することによって保護するのではなく、別途用意された保護画像１２２を予めアプリ画像が表示される層よりも下層に配置し、アプリ画像の透過係数を変化させることにより上記アプリ画像を保護する。この場合には、上記の操作を一旦、上層のアプリが受け付けて、受け付けたその操作を下層のアプリへ伝達するというような構成を敢えて設ける必要がない。したがって、上記の構成に比べると、アプリに対する操作の伝達を簡素にすることができ、また、操作対象でないアプリを介して操作が伝達される時間を要しないので、ユーザの操作に対するアプリの応答性を高めることができる。
【００３６】
３．変形例
以上が実施形態の説明であるが、この実施形態の内容は以下のように変形し得る。また、以下の変形例を組み合わせてもよい。
【００３７】
（１−１）上述の実施形態において、表示装置１は、通信回線を介して他の端末と通信を行う通信端末であったが、携帯電話機、ＰＤＡ、携帯音楽再生機、携帯動画再生機、ゲーム機、電子書籍の閲覧装置、ナビゲーション装置、パーソナルコンピュータ等であってもよい。
【００３８】
（１−２）例えば、表示装置１が携帯電話機である場合、表示装置１は、音声処理部を備える。この音声処理部は、マイクロフォン、スピーカ、およびＤＳＰ（Digital Signal Processor）等の音声処理回路を有し、マイクロフォンによる収音内容を示す収音信号を音声処理回路により生成して出力するとともに、制御部１１の制御により入力される音声信号に対し音声処理回路により音声処理を行って、その音声信号に応じた音をスピーカから出力させればよい。
【００３９】
（１−３）また、上述の実施形態において、表示装置１は、通信部１５により通信回線に接続して他の端末と通信を行う通信端末であったが、表示装置１が、例えば、アプリに記述された手順に従ってゲームを行うゲーム機や、電子書籍の閲覧装置等である場合には、通信部１５はなくてもよい。
【００４０】
（２−１）上述の実施形態において、記憶部１２は、１つの保護画像１２２を記憶していたが、複数の保護画像１２２を記憶していてもよい。この場合、制御部１１は、記憶部１２に記憶された複数の保護画像１２２から、特定の保護画像１２２を取得すればよい。また、操作部１３は１つの操作子１３２を備えていたが、複数の操作子を備えていてもよい。この場合、例えば、制御部１１は、各操作子を各保護画像１２２にそれぞれ割り当てておき、操作された操作子に割り当てられた保護画像１２２を取得してもよい。これにより、ユーザは好みに応じて操作子を選ぶことで保護画像１２２を選択することができる。
【００４１】
（２−２）また、表示装置１の制御部１１は、時刻を計測するタイマを備え、予め定められた条件が満たされたときの時刻に応じて、上述した複数の保護画像１２２から特定の保護画像１２２を取得してもよい。また、表示装置１は、所定の基準測地系において自装置が存在する位置（以下、緯度・経度という）を測定する、いわゆるＧＰＳ（Global Positioning System）受信機である測位部１６を備え、制御部１１は、測位部１６によって測定された緯度・経度に応じて、上述した複数の保護画像から特定の保護画像を取得するようにしてもよい。この場合、特定の保護画像には、時刻や位置に応じて予め定められた広告が描かれていてもよい。
【００４２】
（２−３）また、表示装置１の制御部１１は、時刻または緯度・経度のいずれか一方に応じて保護画像１２２を取得することに代えて、時刻と緯度・経度との組み合わせに応じて保護画像１２２を取得するようにしてもよい。
図５は、この変形例における表示装置１ａの構成を示す図である。制御部１１ａは、タイマが備えられている点において、上述の実施形態における制御部１１と異なっている。記憶部１２ａは、複数の保護画像１２２ａ、１２２ｂ、…（以下、特に区別の必要がない場合は、これらを総称して「保護画像１２２」と記す）が保護画像群１２３として記憶されている点において、上述の実施形態における記憶部１２と異なっている。また、表示装置１ａは、制御部１１ａ、記憶部１２ａに加えて、上記の測位部１６を備えている点においても、表示装置１と異なっている。
【００４３】
図６は、この変形例における表示装置１ａ、および制御部１１ａの機能的構成を示す図である。制御部１１ａは、表示制御部１１１および処理部１１２として機能するほか、上述した制御プログラムを実行することにより特定部１１３、および取得部１１４として機能する。記憶部１２ａは、１日の時刻を予め複数の期間に区分けした時刻区分と、上述の基準測地系における緯度・経度を複数の領域に区分けした位置区分とを記憶している。時刻区分は、例えば具体的には、１日の時刻を予め１時間ごとに区分けした期間等である。位置区分は、例えば具体的には、緯度が３５度３９分３０秒から３５度３９分３１秒までで、且つ、経度が１３９度４４分４３秒から１３９度４４分４４秒までの範囲等である。ここでは、時刻は、時刻区分ｔ０、ｔ１、ｔ２、…、ｔ２３に区分けされており、緯度・経度は、位置区分Ｑ１、Ｑ２、…に区分けされている。
【００４４】
そして、記憶部１２ａの保護画像群１２３に含まれる各保護画像１２２は、データベースにより時刻区分と位置区分との組み合わせにそれぞれ対応付けられている。例えば、時刻区分ｔ７に区分される午前７時から午前８時までの或る時刻において、位置区分Ｑ１に区分される或る位置に表示装置１が存在しているときに、上記の条件が満たされたとすると、特定部１１３は、保護画像群１２３から時刻区分ｔ７と位置区分Ｑ１との組み合わせを特定し、この組み合わせを示す情報を取得部１１４に引き渡す。取得部１１４は、引き渡された情報により示される組み合わせに基づいて、これに対応する保護画像１２２ｂを保護画像群１２３から取得する。
【００４５】
この構成であれば、例えば、朝の通勤ラッシュ時に駅構内において、予め定められた条件が満たされると、取得部１１４は保護画像１２２として語学教材の内容等が記述された画像を取得するように設定することができる。また、夕方の帰宅時に自宅近辺の食料品店において、予め定められた条件が満たされると、取得部１１４は料理のレシピ等が記述された画像を取得するように設定することもできる。これにより、プライバシーを保護したいときに表示される保護画像を時や場所に応じたものにすることができる。なお、保護画像に時と場所に応じた広告を含ませるようにしてもよい。
【００４６】
なお、特定部１１３および取得部１１４は、制御部１１ａが制御プログラムを実行することにより実現されていたが、制御部１１ａがアプリ群１２１に含まれるアプリまたはフィルターアプリ１２９を実行することにより実現されてもよく、また、制御部１１ａがこれらのいずれとも異なるアプリを実行することにより実現されてもよい。
【００４７】
（２−４）また、表示装置１の制御部１１は、表示部１４に表示されているアプリ画像に関する情報（以下、アプリ画像情報という）を解析し、解析結果に応じた保護画像１２２を保護画像群１２３から取得するようにしてもよい。ここで、アプリ画像情報とは、例えば制御部１１がアプリを実行することにより、ＨＴＭＬ文書等のマークアップ言語を解釈し、その内容に応じたアプリ画像を生成する場合に、上述のＨＴＭＬ文書そのものや、ＨＴＭＬ文書においてリンク先として記述されたＵＲＬ（Uniform Resource Locator）を含む。また、この場合、アプリ画像情報は、ＵＲＬが示す画像等のリソースそのものや、そのリソースに含まれているメタデータやコメント部分のように、そのリソースに関する情報であって、アプリ画像に直接反映されない種々の情報等を含んでいてもよい。また、アプリ画像情報は、たとえばサイト検索のために入力された文字列等、制御部１１がアプリ画像を生成する際にアクセスした全ての情報を含んでいてもよい。
【００４８】
図７は、この変形例における表示装置１ｂ、および制御部１１ｂの機能的構成を示す図である。表示装置１ｂは、測位部１６を備えていないほか、記憶部１２ａに代えて保護画像群１２３ｂを記憶する記憶部１２ｂを備えている点、および、制御部１１ａに代えて制御部１１ｂを備えている点において、図６に示した表示装置１ａと異なっている。制御部１１ｂは、特定部１１３に代えて解析部１１５を備えている点において、図６に示した表示装置１ａと異なっている。制御部１１ｂは、表示制御部１１１、処理部１１２、および制御プログラムを実行することにより取得部１１４として機能するほか、制御プログラムを実行することにより解析部１１５として機能する。
【００４９】
記憶部１２ｂの保護画像群１２３ｂに含まれる各保護画像１２２は、データベースにより予めアプリ画像情報の解析結果に対応付けられている。
解析部１１５は、処理部１１２がアプリを実行することによりアプリ画像を生成する際に、そのアプリ画像に関するアプリ画像情報を解析する。具体的には、解析部１１５は、アプリ画像において使用されている色の種類、色の分布、文字の数、文字の種類、文字から推察される使用言語等、を特定したり、色数や色の分布等から文字以外の表示が写真とイラストのいずれであるかを特定したりする。そして、特定された内容を解析結果として取得部１１４に引き渡す。取得部１１４は、引き渡された解析結果に基づいて、これに対応する保護画像１２２ｂを保護画像群１２３ｂから取得する。
【００５０】
例えば、アプリが文字を多く使用するものである場合には、アプリ画像には文字が多く現れる。このとき、文字が描かれた保護画像を用いると、これらがアプリ画像に含まれる文字と混じり合うためプライバシー保護の効果を高める場合がある。同様に、アプリが模様を多く使用するものである場合には、模様が描かれた保護画像を用いるとプライバシー保護の効果を高める場合がある。特に、アプリ画像と保護画像とにそれぞれ描かれた文字同士または模様同士が類似している場合には、プライバシー保護の効果が高まる傾向がある。上述のように構成することにより、表示装置１ｂは、アプリ画像を保護する保護画像として、多様な状況のそれぞれに適したものを使うことができる。なお、ここでいう「類似」とは、例えば、文字サイズや文字間隔、文字の配列の向き、模様の線の曲がり具合、線の太さ、線の間隔等が共通しているか、またはその差が或る範囲内にあることをいう。
【００５１】
また、解析部１１５は、アプリ画像において使用されている文字、写真またはイラストの各内容やこれらに関する情報を解析して、取得部１１４に、その解析結果に対応する保護画像１２２ｂを保護画像群１２３ｂから取得させるようにしてもよい。例えば、アプリ画像において自動車の型番や愛称または「自動車」の文字等や、自動車の写真、イラスト等が使用されている場合には、解析部１１５はアプリ画像情報の解析結果として「自動車」を示す情報を取得部１１４に引き渡す。そして、これを受けて取得部１１４は、自動車の広告を表した保護画像１２２を保護画像群１２３ｂから取得すればよい。なお、この場合、記憶部１２には、アプリ画像と比較する文字、写真等を記憶したデータベースを有しており、制御部１１がアプリ画像とこのデータベースの記憶内容とを照合すればよい。
【００５２】
また、取得部１１４は、記憶部１２に記憶された保護画像群１２３ｂからではなく、外部のサーバから通信部１５を介して保護画像を取得してもよい。この場合、例えば解析部１１５が通信部１５を介して上記のサーバである広告画像サーバにアプリ画像情報の解析結果を送信し、取得部１１４は、この解析結果に応じて広告画像サーバが送信した保護画像を取得すればよい。このようにして取得された保護画像は、保護画像群１２３ｂに含まれる保護画像１２２として記憶部１２に記憶されてもよい。
【００５３】
アプリ画像で頻繁に使用される文字や写真等はユーザの関心が向いている事物を表していることが多い。例えばユーザの使用するアプリがｗｅｂサイトを閲覧するためのアプリである場合、自動車を好む人は自動車に関連するサイトを閲覧することが多く、電化製品を好む人は電化製品に関連するサイトを閲覧することが多い。上述のように、アプリ画像で使用される文字や写真等を解析することで、解析部１１５の解析結果としてユーザが関心を向けている可能性が高い事物が特定されるため、この事物に応じた広告が含まれている保護画像１２２を表示させることにより、より効果の高い広告を行うことができる場合がある。
【００５４】
なお、解析部１１５は、制御部１１ｂが制御プログラムを実行することにより実現されていたが、制御部１１ｂがアプリ群１２１に含まれるアプリまたはフィルターアプリ１２９を実行することにより実現されてもよく、また、制御部１１ｂがこれらのいずれとも異なるアプリを実行することにより実現されてもよい。
【００５５】
（２−５）制御部１１は、記憶部１２に記憶された複数の保護画像から、特定の保護画像を取得する際に擬似乱数を発生させて、この乱数に基づいて保護画像を特定してもよい。
【００５６】
（３−１）上述の実施形態において、アプリ画像と保護画像のそれぞれの大きさについては特に言及しなかったが、表示装置１は、保護画像をアプリ画像の一部を保護するように用いてもよい。
図８は、この変形例における保護領域を説明するための図である。保護領域とは、表示部１４においてアプリ画像を保護する領域であり、例えば、保護領域がＸＹ座標における矩形である場合、その矩形の４頂点のうち、対角位置にある１組の点で（左上の点と右下の点等）表される。
【００５７】
表示装置１の制御部１１が実行するアプリ群１２１には、図８（ａ）に示すように、複数のアプリＡ１、Ａ２（以下、特に区別の必要がない場合は、これらを総称して「アプリＡ」と記す）が含まれている。各アプリＡには、１または複数のアプリ画像と、そのアプリ画像に固有の保護領域とが対応付けられて記述されている。例えば、図８（ａ）に示すように、アプリＡ１においては、アプリ画像Ｇ１が保護領域Ｒ１に対応づけられており、アプリＡ２においては、アプリ画像Ｇ２１が保護領域Ｒ２１に、アプリ画像Ｇ２２が保護領域Ｒ２２に、それぞれ対応づけられている。
【００５８】
処理部１１２がアプリＡ１を実行すると、表示部１４には、図８（ｂ）に示すように、アプリ画像Ｇ１が表示される。アプリＡ１は電子メールの編集アプリであり、「メール編集アプリ」という文字列が記述されたタイトルバーの下に、「宛先：」という文字列が表示される。そしてこの文字列の右側には、電子メールを送る相手のメールアドレスを記入する欄（以下、アドレス記入欄という）が設けられている。また、その下には電子メール本文を表示する欄が設けられている。
【００５９】
アプリ画像Ｇ１に対応付けられた保護領域は、図８（ｃ）に示すように、上述のアドレス記入欄に相当する領域として定められている。制御部１１により実現される処理部１１２は、生成したアプリ画像Ｇ１に加えて、このアプリ画像に対応づけられている保護領域を表示制御部１１１に引き渡す。表示制御部１１１は、アプリ画像が描かれる層Ｌより下の層において、上記の保護領域に保護画像１２２を配置しており、操作子１３２が押されると、アプリ画像が描かれる層Ｌの透過係数を下げる。これにより、上記の保護領域に保護画像が現れた重畳画像が表示部１４に表示される。
これにより、表示装置１は保護する必要がある部分だけを保護することができる。
【００６０】
（３−２）また、処理部１１２は、アプリＡ１を実行すると、表示制御部１１１にアプリ画像Ｇ１を引き渡すとともに、保護画像群１２３の中から１つの保護画像１２２を選択するための情報（以下、選択情報という）を引き渡すようにしてもよい。この選択情報とは、例えば、選択されるべき保護画像１２２が属する分類等であり、具体的には、画像に文字が描かれているか、模様が描かれているかの区別、また、文字が描かれている画像であればフォント、言語や文字の大きさの指定、模様が描かれている画像であれば、線の太さや間隔、色合い等である。この場合、このアプリ画像Ｇ１と上記の選択情報とが対応付けられていればよく、表示制御部１１１は、選択情報に基づいてアプリ画像Ｇ１の下層に配置する保護画像１２２を取得すればよい。なお、選択情報としては、アプリ画像において使用されている文字、写真またはイラストの内容を示す情報であってもよいし、これらのメタデータ等を含むアプリ画像情報であってもよい。
【００６１】
（４−１）上述の実施形態において、制御部１１により実現される表示制御部１１１は、操作部１３の操作子１３２が押されると、予め定められた条件が満たされたと判断し、上記のアプリ画像を透過させていたが、予め定められた条件は、これに限られない。例えば、操作部１３は、加速度センサや角速度センサ等を備えており、表示装置１がユーザによって揺らされたときや、或る角度に傾けられたとき等を、これらのセンサが検知したときに、表示制御部１１１は、上記の条件が満たされたと判断するようにしてもよい。また、予め定められた条件は、操作部１３を介したユーザの操作を契機としたものに限られない。例えば、表示装置１に備えられた電子マネー決済装置により支払いが行われたことを契機として、表示制御部１１１は、上記の条件が満たされたものと判断してもよい。他にも、電子乗車券による改札通過を検知して、ユーザが駅構内にいると判断されるとき、表示装置１に備えられたＧＰＳにより表示装置１が予め定められた地域に存在すると判断されるとき、表示装置１に電子メールが着信したとき、表示装置１が携帯電話機である場合に記憶部１２に記憶されたアドレス帳において予め定められた通信相手から電話をかけられたとき、記憶部１２に記憶されたスケジュールに示す時刻になったとき、等を、上述した条件としてもよい。
【００６２】
（４−２）また、カメラ等のように周囲を撮影する撮影部を表示装置１に設けて、この撮影部が撮影した撮影データを解析した結果について、上記の条件を定めてもよい。具体的には、制御部１１の制御の下、表示装置１に設けられた撮影部が周囲を撮影し、撮影データを生成する。表示制御部１１１は、撮影部が生成した撮影データを取得すると、この撮影データを解析して、例えば、撮影データに表示装置１の所有者であるユーザの顔が含まれているか否かを判定し、含まれていないと判定されたときに、上記の条件が満たされたと判断するようにしてもよい。また、表示制御部１１１は、上記の撮影データを解析して、ユーザの顔が含まれていると判定した場合であっても、そのユーザの瞳の解析結果などから視線がどの方向を向いているかを特定し、ユーザの視線が表示部１４に向いていない、すなわち、ユーザが表示部１４を閲覧していないと判定した場合には、上記の条件が満たされたと判断するようにしてもよい。これにより、ユーザが見ていない可能性が高い場合において表示装置１はアプリ画像を見え難くしてプライバシーの保護を図ることができる。なお、この閲覧の有無を判断するための構成は、特開２００１−３５０５４９号公報等に開示されているものと同じでよく、公知の方法で構わない。
【００６３】
（４−３）また、上述の実施形態において、操作部１３の検知部１３１が表示部１４における位置の指定を伴う操作を受け付けると、処理部１１２は、アプリに記述された手順に従ってその操作に応じた処理を行っていたが、検知部１３１が受け付けた操作により指定される位置が、表示部１４における或る範囲内にある場合に、表示制御部１１１が上記の条件が満たされたと判断して上記のアプリ画像が描かれる層の透過係数を下げるようにしてもよい。
【００６４】
図９は、この変形例に係る表示装置１の表示内容を説明するための図である。図９（ａ）に示すように、表示部１４は、複数の層Ｌ１、Ｌ２、Ｌ３を矢線Ｄ方向に順に重ねて重畳画像を表示する。最上層である層Ｌ１には、アプリＡ１が実行されることにより表示画面の一部分に矩形状のアプリ画像Ｇ１が配置される。層Ｌ１の直ぐ下の層である層Ｌ２には、アプリＡ２が実行されることによりアプリ画像Ｇ２が配置される。層Ｌ３の直ぐ下の層である層Ｌ３には、フィルターアプリ１２９が実行されることにより保護画像１２２が配置される。ここで、表示制御部１１１は、層Ｌ１のように表示画面の一部分にアプリ画像を配置する場合には、その部分の内側と外側とで異なる透過係数を定める。具体的には、その部分の内側には透過係数として１を、その部分の外側には透過係数として０を設定する。これにより、層Ｌ１においてアプリ画像Ｇ１が配置される矩形領域にはアプリ画像Ｇ１のみが表示され、層Ｌ２、Ｌ３に配置された画像は混合されない。一方、層Ｌ１の上記矩形領域の外側は、完全に透過しているため、層Ｌ２に配置されたアプリ画像Ｇ２と層Ｌ３に配置された保護画像１２２が、それぞれの透過係数に応じて混合されて表示される。
【００６５】
図９（ｂ）に示すように、アプリ画像Ｇ１には、棒グラフｗ２の上に操作ポイントｗ１が重ねられた図形が表示されている。棒グラフｗ２の長手方向のいずれかの位置に操作ポイントｗ１は重ねられており、棒グラフｗ２のうち、操作ポイントｗ１よりも右側の部分は白色に塗られ、操作ポイントｗ１よりも左側の部分は黒色に塗られる。ユーザが操作ポイントｗ１に指等で触れて、触れている位置を棒グラフｗ２の長手方向に沿って移動させると、操作ポイントｗ１は、その指の位置に従って移動し、棒グラフｗ２は、その結果に応じて塗り替えられるように構成されている。そして、層Ｌ２の透過係数は、棒グラフｗ２の全体に対する、黒色の領域の割合になるように構成されている。この場合、ユーザによって位置を指示する操作がなされても、指示されたその位置がアプリ画像Ｇ１の操作ポイントｗ１の位置、すなわち或る範囲内の位置であるため、この操作は、アプリ画像Ｇ２を配置させたアプリＡ２の処理に影響を与えない。特に棒グラフｗ２の全体に対する黒色の領域の割合が減少するように操作された場合には、この操作は、表示制御部１１１によって「予め定められた条件を満たす操作」として判断され、層Ｌ２の透過係数が上記割合に応じて下げられる。その結果、層Ｌ３に配置された保護画像１２２が表示部１４に表示されることとなる。なお、ユーザに指示された位置がアプリ画像Ｇ１の外側、すなわち上記の或る範囲外（図９（ｂ）において平行斜線を描画した領域内）の位置である場合には、検知部１３１の検知した「位置を指示する操作」はアプリＡ２の処理に用いられるパラメータを生成する契機として処理部１１２に受け取られる。
【００６６】
この構成によれば、本発明に係る表示装置１は、検知部１３１の検知する位置を区分けするため、透過係数を決定して保護画像１２２が表示される割合を変更する処理と、アプリ画像を表示させたアプリを実行する際に用いるパラメータを生成する処理の２種類の処理を行うことができる。
【００６７】
（５）表示装置１の制御部１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。また、このプログラムは、制御部１１のＲＯＭに予め記憶させた状態で提供してもよい。なお、上記制御部１１によって例示した制御手段としてはＣＰＵ以外にも種々の装置を適用することができ、例えば、専用のプロセッサなどを用いてもよい。
【００６８】
（６）上述の実施形態において、検知部１３１は、静電容量方式のタッチパネルであったが、検知部１３１が表示部１４における位置の指定を伴う操作を受け付ける手段はこれに限られない。検知部１３１は、例えば、抵抗膜方式や電磁誘導方式のタッチパネルであってもよい。検知部１３１は、指先ではなく、専用のスタイラスペン等により指示された位置を検知してもよい。
【００６９】
（７）上述の変形例において、測位部１６はＧＰＳ受信機であったが、条件が満たされたときの自装置の位置を検知する構成は、ＧＰＳ受信機に限られない。例えば、表示装置１が携帯電話機である場合には、最も近くに存在する中継基地局の識別情報によって自装置の位置を検知してもよい。また、ＲＦＩＤ（Radio Frequency Identification）技術によって得られる情報に基づいて自装置の位置を検知してもよい。例えば、周囲に分散配置されたＩＣタグが発信する識別情報を、表示装置１に備えられたタグリーダが読み取って制御部１１に送り、制御部１１が、識別情報に応じて自装置の位置を特定するようにしてもよい。
【００７０】
（８）ステップＳ１０１とステップＳ１０２の順番は逆でもよい。すなわち、制御部１１は、保護画像１２２を或る層に配置してからアプリを実行し、実行したアプリにより生成されるアプリ画像をこの層よりも上の層に表示させてもよい。
【００７１】
（９）上述の実施形態において、アプリ画像と保護画像１２２とを重ねて得られる画像である重畳画像を表示部１４に表示させる処理は、フィルターアプリ１２９に記述された手順に従って制御部１１により実行されていたが、この処理は、アプリ群１２１に含まれるアプリに記述された手順に従って制御部１１により実行されてもよい。
【００７２】
図１０は、この変形例における表示装置１ｃの構成を示す図である。表示装置１ｃは、上述の表示装置１の記憶部１２に代えて記憶部１２ｃを具備している。記憶部１２ｃは、フィルターアプリ１２９を記憶しておらず、フィルタールーチンＦＲがそれぞれ組み込まれている複数のアプリを含んだアプリ群１２１ｃを記憶しているという点において、上述の実施形態における記憶部１２と異なっている。また、表示装置１ｃの制御部１１ｃは、機能的構成が表示装置１の制御部１１と異なっている。
【００７３】
図１１は、この変形例における表示装置１ｃ、および制御部１１ｃの機能的構成を示す図である。制御部１１ｃは、表示制御部１１１および処理部１１２として機能するが、いずれも、制御部１１が記憶部１２ｃのアプリ群１２１から指定されたアプリ（図１１においてはアプリＡ３）を読み出して実行することにより実現する機能である。処理部１１２は、アプリＡ３に記述された手順に従ってアプリ画像を生成し、操作部１３の検知部１３１が表示部１４における位置の指定を伴う操作を受け付けると、その操作に応じた処理を行う。これに加えて、処理部１１２は、アプリＡ３に含まれるフィルタールーチンＦＲを呼び出して、これに記述された手順に従って処理を行うことにより、表示制御部１１１として機能する。具体的には、処理部１１２は、生成したアプリ画像を表示部１４に表示させるとともに、記憶部１２ｃから読み出した保護画像１２２をアプリ画像よりも下層に配置する。そして、処理部１１２（すなわち、表示制御部１１１）は、アプリ画像および保護画像１２２から、各層Ｌの透過係数に応じた重畳画像を生成する。
【００７４】
要するに、アプリごとに、表示制御部１１１の処理が記述されたフィルタールーチンＦＲが記述されているため、制御部１１ｃは、１つのアプリを実行することで重畳画像を生成することができる。このように構成されていることにより、表示装置１ｃは、複数のアプリを並列的に実行することができない非マルチタスク型のＯＳ（Operating System）によって制御されている場合であっても、１つのアプリを実行することで、アプリ画像と保護画像とを重畳した重畳画像を表示させることができるので、これを利用するユーザは、状況に応じてプライバシー保護の程度を変更することができる。
【００７５】
（１０）上述の実施形態において、制御部１１が実行するアプリは１つであったが、複数のアプリを並行して実行してもよい。この場合、制御部１１は、実行するアプリごとに固有のフィルターアプリ１２９を並列処理により実行するとよい。例えば、複数のアプリはそれぞれ実行されると表示部１４の表示領域にそれぞれのアプリ画像を表示するが、表示領域には限りがあるため、各アプリ画像が重なっている部分については最も上層に表示されたアプリ画像がユーザに見られることとなる。ここで、予め定められた条件が満たされると、このアプリ画像を保護画像１２２が保護する。このとき、保護画像１２２が表示装置１において１つだけ、例えば最下層に配置されているとすると、上述した最上層のアプリ画像が透過したとしても、次に重ねられているアプリ画像が見えることになるので、予期せぬ情報が覗き見されてしまうことがある。一方、この変形例においては、アプリごとに固有のフィルターアプリ１２９を実行することで、各アプリ画像の直ぐ下の層に固有の保護画像１２２がそれぞれ配置される。したがって、これにより、覗き見から保護したいアプリ画像を確実に保護するとともに、その他のアプリ画像が覗き見されることを防止することができる。特に、各アプリが表示するアプリ画像のそれぞれのアプリ画像情報は異なっていることが多いので、このようにアプリ画像ごとに、そのそれぞれの下層に保護画像１２２を配置することは、上述したように保護の効果を高めるとともに、広告効果を高めることに寄与し得る。
【００７６】
（１１−１）上述の、予め定められた条件は複数種類設けられていてもよい。この場合、その各条件につき特定透過係数が定められていてもよい。例えば、操作子１３２を１回押したときの特定透過係数は０．９であり、２回、３回と操作子１３２を押す回数が増えるごとに、特定透過係数が０．１ずつ減少するといった具合である。これによりユーザは、状況に応じて操作を選ぶことによりプライバシー保護の程度を調節することができる。
【００７７】
（１１−２）また、１または複数の特定透過係数は、アプリ画像ごとに定められていてもよく、また、アプリ画像と保護画像１２２との組み合わせごとに定められていてもよい。予め定められた条件が満たされたときであっても、アプリ画像は、ユーザが見ることができる程度に表示されていることが望ましく、この程度を決定するのは特定透過係数と、アプリ画像および保護画像１２２の内容であるからである。例えば、アプリ画像の輝度の差（コントラスト）が大きいものほど、アプリ画像が目立ちやすいため、特定透過係数を低く設定するといった具合である。なお、常態透過係数も、アプリ画像ごと、またはアプリ画像と保護画像１２２との組み合わせごとに定められていてもよい。
【００７８】
（１１−３）表示制御部１１１が記憶部１２から読み出す保護画像１２２は、ユーザによって設定することができるように構成されていてもよい。例えば、ユーザがフィルターアプリ１２９の実行に用いられるパラメータを設定するためのアプリを起動し、これにより、記憶部１２において保護画像１２２が記憶されている領域に好みの画像を記憶させればよい。
【００７９】
（１１−４）また、表示制御部１１１は、記憶部１２に記憶された保護画像１２２ではなく、外部のサーバから通信部１５を介して保護画像を取得してもよい。この場合には、保護画像の内容は、ユーザではなく、外部のサーバによって設定することができるように構成されていてもよい。また、このサーバは、上述した広告画像サーバに限られず、このサーバから取得する保護画像の内容は、広告に限られない。保護画像の内容は、例えば、災害の詳細を伝える災害情報や、時事を報道するニュース等であってもよい。
【符号の説明】
【００８０】
１，１ａ，１ｂ，１ｃ…表示装置、１１，１１ａ，１１ｂ，１１ｃ…制御部、１１１…表示制御部、１１２…処理部、１１３…特定部、１１４…取得部、１１５…解析部、１２，１２ａ，１２ｂ，１２ｃ…記憶部、１２１，１２１ｃ…アプリ群、１２２，１２２ａ，１２２ｂ…保護画像、１２３，１２３ｂ…保護画像群、１２９…フィルターアプリ、１３…操作部、１３１…検知部、１３２…操作子、１４…表示部、１５…通信部、１６…測位部、Ａ，Ａ１，Ａ２，Ａ３，Ｂ…アプリ、ＦＲ…フィルタールーチン、Ｇ１，Ｇ２，Ｇ２１，Ｇ２２…アプリ画像、Ｌ１，Ｌ２，Ｌ３…層、Ｒ１，Ｒ２１，Ｒ２２…保護領域、ｗ１…操作ポイント、ｗ２…棒グラフ。
【図１】
2011242452.tif 000003
【図２】
2011242452.tif 000004
【図３】
2011242452.tif 000005
【図４】
2011242452.tif 000006
【図５】
2011242452.tif 000007
【図６】
2011242452.tif 000008
【図７】
2011242452.tif 000009
【図８】
2011242452.tif 000010
【図９】
2011242452.tif 000011
【図１０】
2011242452.tif 000012
【図１１】
2011242452.tif 000013